(57)【特許請求の範囲】
【請求項１】
ロックコア胴部と、このロックコア胴部に係止自在に取り付けられるパーツベースと、このパーツベースに取り付けられる各種の接続パーツと、ロックコア胴部とパーツベースの係合状態を解除するためのキー部材とで構成される分解組み立て式人形玩具であって、
パーツベースにおける各種の接続パーツの接合位置の反対側に角ジョイントを突設し、ロックコア胴部の略中央位置にシリンダー部材を配設し、そのシリンダー部材のキー差込口をロックコア胴部の正面位置に臨ませ、このロックコア胴部の側面に前記パーツベースの角ジョイントが挿入可能となる連結孔を形成し、
前記ロックコア胴部の内部に、連結孔から挿入された角ジョイントに対し、常時挿入方向に押し戻す弾発力を付与し続けるトーションバネを配設し、角ジョイントがロックコア胴部の連結孔に挿入された際に、その角ジョイントの一部に形成した凹陥部にロック部材の突起が係合することで、前記トーションバネによる弾発力の発揮を一時的に阻止するロック部材を前記ロックコア胴部の内部に配設し、
さらに前記キー差込口に差し込まれたキー部材を回動させた際にのみ、前記ロック部材の突起と角ジョイントの凹陥部との係合状態を解除するロック解除部材を前記シリンダー部材に配設したことを特徴とする分解組み立て式人形型玩具。
【請求項２】
ロック解除部材が、シリンダー部材に形成したディスク部と、このディスク部に形成した押し山と、ロック部材に形成した受け山とで構成される請求項１記載の分解組み立て式人形型玩具。
【請求項３】
ロックコア胴部連結用のパーツベースを備えてなる請求項１記載の分解組み立て式人形型玩具。
【発明の詳細な説明】
【技術分野】
【０００１】
本発明は、人形型玩具（人間、動物、ロボット、仮想動物などを含む）のロックコア胴部に、頭部、手足部、他の連結用胴部、尻尾部などの接続パーツを差し込んでワンタッチで接続し、ロックコア胴部のキー溝にキー部材を差し込み、そのキー部材を回動させることでロックコア胴部に接続した接続パーツを一瞬で弾き飛ばせるようにした分解組み立て式人形玩具に関する。
【背景技術】
【０００２】
従来から見られる人形型玩具としては、胴部に頭部、手足部、他の連結用胴部、尻尾部などを固定状に取り付けたものが一般的であり、さらに変化を持たせるために頭部、手足部、他の連結用胴部、尻尾部などを取り外し自在に胴部に接続させたものも存在する。
【０００３】
さらに全体をサイコロ型の人形に形成し、この人形の手足などの接続パーツを嵌合方式で胴部に差し込んで、取り外し自在に組み立てるようにしたものも知られている（例えば、特許文献１参照）。
【特許文献１】特開２００１−１８７２７４号公報
【０００４】
特許文献１の分解組み立て式人形玩具によれば、胴部に略コ字状の挿通溝を備えた貫通孔が形成され、この貫通孔内に差し込まれて保持される接続パーツに形成されている係合突起が、胴部と嵌合して結合可能となるように配されている。
特許文献１の人形型玩具によれば、一旦組み立てられた人形を分解するには、接続パーツを引き抜いて胴部から引き離すとの説明から分かる通り、差し込まれた接続パーツを強い力で引っ張ることで、接続された接続パーツを胴部から順々に取り外していく構成となっている。
【発明の開示】
【発明が解決しようとする課題】
【０００５】
しかし、この特許文献１の分解組み立て式人形玩具によれば、ロックコア胴部に好みの接続パーツを自由に選択して接続させることで、独創的なデザインの人形型玩具を組み立てることは可能となるが、組み立てが完了した人形型玩具を、一瞬でロックコア胴部から弾き飛ばして分解するという楽しみは期待できないので、ダイナミックな遊び方ができず、爽快感や満足感に欠けるという問題点があった。
【０００６】
本発明は、上記の問題点を解消し、人形型玩具（人間、動物、ロボット、仮想動物などを含む）のロックコア胴部に、頭部、手足部、他の連結用胴部、尻尾部などの接続パーツをワンタッチの差し込み操作だけで接続させ、ロックコア胴部のキー溝にキー部材を差し込み、そのキー部材を回動させることで、ロックコア胴部に接続している全ての接続パーツを一瞬で弾き飛ばして分解できるようにした分解組み立て式人形玩具を提供することを目的とする。
【課題を解決するための手段】
【０００７】
前述した目的を達成するために、本発明に係る分解組み立て式人形玩具は、ロックコア胴部と、このロックコア胴部に係止自在に取り付けられるパーツベースと、このパーツベースに取り付けられる各種の接続パーツと、ロックコア胴部とパーツベースの係合状態を解除するためのキー部材とで構成される分解組み立て式人形玩具であって、
パーツベースにおける各種の接続パーツの接合位置の反対側に角ジョイントを突設し、ロックコア胴部の略中央位置にシリンダー部材を配設し、そのシリンダー部材のキー差込口をロックコア胴部の正面位置に臨ませ、このロックコア胴部の側面に前記パーツベースの角ジョイントが挿入可能となる連結孔を形成し、
前記ロックコア胴部の内部に、連結孔から挿入された角ジョイントに対し、常時挿入方向に押し戻す弾発力を付与し続けるトーションバネを配設し、角ジョイントがロックコア胴部の連結孔に挿入された際に、その角ジョイントの一部に形成した凹陥部にロック部材の突起が係合することで、前記トーションバネによる弾発力の発揮を一時的に阻止するロック部材を前記ロックコア胴部の内部に配設し、
さらに前記キー差込口に差し込まれたキー部材を回動させた際にのみ、前記ロック部材の突起と角ジョイントの凹陥部との係合状態を解除するロック解除部材を前記シリンダー部材に配設したことを特徴とする。
【０００８】
請求項２記載の発明は、ロック解除部材が、シリンダー部材に形成したディスク部と、このディスク部に形成した押し山と、ロック部材に形成した受け山とで構成されることを特徴とする。
【０００９】
請求項３記載の発明は、ロックコア胴部連結用のパーツベースを備えてなることを特徴とする。
【００１０】
本発明の分解組み立て式人形型玩具によれば、ロックコア胴部の連結孔に各接続パーツを押し込むだけでワンタッチで取り付けることができ、ロックコア胴部のキー差込口にキー部材を差し込み、このキー部材をわずかに回動させるだけで、角ジョイントの凹陥部とロック部材の突起との係合状態を解除でき、これにより各接続パーツをロックコア胴部からトーションバネの作用で一瞬で弾き飛ばせるようにしている。
弾き飛ばされた各接続パーツは、再度上記の手順でロックコア胴部の連結孔に差し込まれることで、ロックコア胴部に確実に取り付けられる。
【発明の効果】
【００１１】
本発明に係る分解組み立て式人形型玩具によれば、ロックコア胴部と各接続パーツの取り付けがワンタッチの押し込み操作だけで行うことができ、ロックコア胴部と各接続パーツとの分離はキー部材の回動操作だけで行え、かつその分離は一瞬で弾き飛ばすように行えるので、ダイナミックな遊び方が堪能でき、爽快感や満足感が満たされるという効果がある。
【発明を実施するための最良の形態】
【００１２】
以下、本発明に係る実施形態を図面に基づいて詳細に説明する。
図１は本発明に係る分解組み立て式人形型玩具の組み立て状態を示す斜視図、図２は同分解状態を示す正面図、図３は同組み立て準備状態を示す斜視図、図４は組み立てた人形型玩具にキー部材を差し込む状態を示す斜視図、図５は差し込んだキー部材を回動させて接続パーツを一瞬で弾き飛ばした状態を示す斜視図、図６はロックコア連結用のパーツベースの斜視図、図７はロックコア連結用のパーツベースを使用して人形型玩具を組み立てた状態を示す正面図、図８はパーツベースの拡大斜視図、図９はロックコア胴部内のトーションバネ設置部の斜視図、図１０はロックコア胴部内のロック部材設置部の斜視図、図１１〜図１４は角ジョイントとロック部材の係合状態を説明する図面、図１５は角ジョイントとロック部材の係合状態の解除を説明する図面である。
【００１３】
図１から図５に示す人形型玩具５０は、ロックコア胴部１と、パーツベース２を備えた各種の接続パーツ３及びキー部材４とで構成されており、ロックコア胴部１の側面には連結孔８が形成されている。
またパーツベース２の接続パーツ３を取り付けた側の反対面には角ジョイント５が突設され、この角ジョイント５には凹陥部１０が形成されるとともに、さらにこの角ジョイントの先端には、後述するロック部材１５の受け斜めカット部２５と当接する関係にあるテーパー部１１が形成されている（図８参照）。
【００１４】
またロックコア胴部１の略中央にはシリンダー部材６が設置され、そのシリンダー部材６のキー差込口７はロックコア胴部１の正面位置に臨むように配設されている。
ついでロックコア胴部１の内部には、トーションバネ９が前記連結孔８の内方位置に、連結孔８の数に対応して配設されており、このトーションバネ９は各連結孔８内に挿入される角ジョイント５を、常時挿入方向に押し戻す弾発力を付与し続けるものである。具体的には、図９に示すように、トーションバネ９の一方をロックコア胴部１の内壁に当接させ、他方を角ジョイント５への弾発力付与部としている。符号２０はトーションバネのコイル軸部であり、符号２１はこのコイル軸部２０を安定保持するための支軸である。
【００１５】
つぎに図１０〜図１４に従い、パーツベース２とそれと一体となる接続パーツ３（以下、同様のケースについては「パーツベース２」と略称する場合もある）のロック操作を説明する。
ロックコア胴部１の連結孔８に、各パーツベース２の角ジョイント５が挿入されると、角ジョイント５の先端に形成したテーパー部１１がロック部材１５の受け斜めカット部２５を矢印Ａ方向に押し込むため、Ａ方向のロック部材１５の後端に設置してあるコイルスプリング２６が圧縮されてロック部材１５を矢印Ａ方向に移動させる。さらに進んで、角ジョイント５のテーパー部１１がロック部材１５の受け斜めカット部２５を乗り越えると、コイルスプリング２６の弾発力が発揮されてロック部材１５の突起２７が角ジョイント５の凹陥部１０に収まり接続パーツ３のロック状態が完成する。
【００１６】
一旦ロックコア胴部１にロックされたパーツベース２を分解させるには、シリンダー部材６のキー差込口７にキー部材４を差し込み、そのキー部材４を一定角度回動させるだけでよい。キー部材４を回動させると、ロック解除部材１７によりロック部材１５の突起２７と角ジョイント５の凹陥部１０との係合関係が解除される。
すなわちロック解除部材１７の具体例（図１５参照）として、シリンダー部材６のディスク部３０には押し山３１が形成されており、この押し山３１と対面する位置にあるロック部材１５の対面位置には受け山３２が形成されているため、キー部材４を回動させることによりシリンダー部材６が回動し、それに伴いディスク部３０の押し山３１が回動して受け山３２を押し込むため、受け山３２で押し山３１からの押圧力を受けとめることとなる。
【００１７】
受け山３２が押し山３１からの押圧力を受け止めることで、受け山３２を備えるロック部材１５が押圧力を受け、このロック部材１５の後方に設置した前記のコイルスプリング２６が圧縮される。
コイルスプリング２６の圧縮により、角ジョイント５の凹陥部１０に収まっていたロック部材１５の突起２７が凹陥部１０位置から外れるため、前記トーションバネ９の作用により角ジョイント５、すなわちその角ジョイントに結合するパーツベース２とそれと一体となる接続パーツ３とがロックコア胴部１から弾き飛ばされることとなる。
【００１８】
シリンダー部材６のディスク部３０には、図面の実施例では４個の押し山３１が形成されているため、一回の操作で同時に４個の受け山３２を押圧することができ、一回だけキー部材４を回動させるだけで同時に４個のパーツベース２とそれと一体となる接続パーツ３とを一瞬で弾き飛ばすことができる。
【００１９】
また本発明では、図６に示すようなロックコア胴部連結用のパーツベース１６を備えることができ、このパーツベース１６を利用した場合には、ロックコア胴部１を連続（上下方向でも、左右方向でもよい）して並べることができ、各ロックコア胴部１には当然のことながらそれぞれに対応した接続パーツ２並びにキー部材４を利用することができる。このようにした場合には、遊び方の範囲がさらに広がる効果がある。
【図面の簡単な説明】
【００２０】
【図１】本発明に係る分解組み立て式人形型玩具の組み立て状態を示す斜視図である。
【図２】同分解状態を示す正面図である。
【図３】同組み立て準備状態を示す斜視図である。
【図４】組み立てた人形型玩具にキー部材を差し込む状態を示す斜視図である。
【図５】差し込んだキー部材を回動させて接続パーツを一瞬で弾き飛ばした状態を示す斜視図である。
【図６】ロックコア連結用のパーツベースの斜視図である。
【図７】ロックコア連結用のパーツベースを使用して人形型玩具を組み立てた状態を示す正面図である。
【図８】パーツベースの拡大斜視図である。
【図９】ロックコア胴部内のトーションバネ設置部の斜視図である。
【図１０】ロックコア胴部内のロック部材設置部の斜視図である。
【図１１】角ジョイントとロック部材の係合状態を説明する図面である。
【図１２】角ジョイントとロック部材の係合状態を説明する図面である。
【図１３】角ジョイントとロック部材の係合状態を説明する図面である。
【図１４】角ジョイントとロック部材の係合状態を説明する図面である。
【図１５】角ジョイントとロック部材の係合状態の解除を説明する図面である。
【符号の説明】
【００２１】
１    ロックコア胴部
２    パーツベース
３    接続パーツ
４    キー部材
５    角ジョイント
６    シリンダー部材
７    キー差込口
８    連結孔
９    トーションバネ
１０  角ジョイント凹陥部
１１  角ジョイント先端のテーパー部
１２  ロックコア胴部の背中側に取り付ける背中パーツ
１５  ロック部材
１６  ロックコア胴部連結用のパーツベース
１７  ロック解除部材
２０  コイル軸部
２１  支軸
２５  受け斜めカット部
２６  コイルスプリング
２７  ロック部材の突起
３０  シリンダー部材のディスク部
３１  押し山
３２  受け山
５０  人形型玩具
【図１】
0004644585.tif 000002
【図２】
0004644585.tif 000003
【図３】
0004644585.tif 000004
【図４】
0004644585.tif 000005
【図５】
0004644585.tif 000006
【図６】
0004644585.tif 000007
【図７】
0004644585.tif 000008
【図８】
0004644585.tif 000009
【図９】
0004644585.tif 000010
【図１０】
0004644585.tif 000011
【図１１】
0004644585.tif 000012
【図１２】
0004644585.tif 000013
【図１３】
0004644585.tif 000014
【図１４】
0004644585.tif 000015
【図１５】
0004644585.tif 000016